(57)【要約】【課題】張り材の上部と下部とが、互いに異なる適当な撓み量をもって後方に撓むようにし、快適な座り心地が得られるようにした背凭れを提供する。【解決手段】背フレームにおける正面視下向Ｕ字状をなす上部フレーム１２に、メッシュ状に編むか、または織られた張り材１４を張設してなる椅子の背凭れ１０において、張り材１４の上部における座者の背中を支える部分を、メッシュの目の粗い低密度部２３とし、かつ同じく下部における腰部付近を支える部分の上下方向の少なくとも一部を、張り材１４の上部よりもメッシュの目の細かい高密度部２４とする。【選択図】  図５
2009112360.tif 000002
【特許請求の範囲】
【請求項１】
背フレームにおける正面視下向Ｕ字状をなす上部フレームに、メッシュ状に編むか、または織られた張り材を張設してなる椅子の背凭れにおいて、前記張り材の上部における座者の背中を支える部分を、メッシュの目の粗い低密度部とし、かつ同じく下部における腰部付近を支える部分の上下方向の少なくとも一部を、前記張り材の上部よりもメッシュの目の細かい高密度部としたことを特徴とする椅子の背凭れ。
【請求項２】
上部フレームにおける左右の側杆を、上下方向のやや下方部が前方に突出するように、側面視く字状に折曲し、この折曲部より上方を低密度部とするとともに、折曲部の下方の上下方向の少なくとも一部を、高密度部としてなる請求項１記載のいすの背凭れ。
【請求項３】
張り材の下部を、高密度部と低密度部とが、上下方向に交互に配設されたものとしてなる請求項１または２記載の椅子の背凭れ。
【請求項４】
張り材下部の高密度部と低密度部を、左右方向に向かって帯状としてなる請求項３記載の椅子の背凭れ。
【請求項５】
張り材を１枚のメッシュ状とし、その外周縁に設けた下向Ｕ字状の袋状部を上部フレームに挿入して張設してなる請求項１〜４のいずれかに記載の椅子の背凭れ。
【発明の詳細な説明】
【技術分野】
【０００１】
本発明は、背フレームに、弾性変形可能な張り材を張設してなる椅子の背凭れに関する。
【背景技術】
【０００２】
この種の椅子の背凭れとしては、例えば特許文献１及び２に記載されているものがある。    
【特許文献１】特開２００３ー１３５２００号公報
【特許文献２】特開２００６−９４９９５号公報
【発明の開示】
【発明が解決しようとする課題】
【０００３】
張り材が張設された椅子の背凭れにおいては、座者が背凭れに凭れ掛けた際における張り材の後方への撓み量を、背中の下部を支える下部側に比して、背中の上部を支える上部側を大きくすると、快適な座り心地が得られるので好ましい。
しかし、上記特許文献１に記載されている椅子の背凭れにおいては、枠状をなす背フレームに、全体が均一な密度に編まれたメッシュ状の張り材を張設しているため、張り材の下部を適当な撓み量とすると、上部側が後方に大きく撓み過ぎ、反対に、張り材の上部を適当な撓み量とすると、下部側が大きく撓み過ぎるという問題があり、いずれの場合も快適な座り心地が得られない。
【０００４】
特許文献２に記載の背凭れにおいては、張り材(背凭れシート体)を構成している生地の全面に、左右方向を向く帯状のメッシュ状部(低弾性部)を、生地とメッシュ状部とが上下方向に交互に並ぶようにして、上下複数段編み込んでいるので、張り材全体としての撓み量は実質的に均一であり、下部側に比して、上部側の後方への撓み量を大きくして、座り心地を向上させるということはできない。
【０００５】
本発明は、上記問題点に鑑みてなされたもので、張り材の上部と下部とが、互いに異なる適当な撓み量をもって後方に撓むようにし、快適な座り心地が得られるようにした背凭れを提供することを目的としている。
【課題を解決するための手段】
【０００６】
本発明によると、上記課題は、次のようにして解決される。
（１）背フレームにおける正面視下向Ｕ字状をなす上部フレームに、メッシュ状に編むか、または織られた張り材を張設してなる椅子の背凭れにおいて、前記張り材の上部における座者の背中を支える部分を、メッシュの目の粗い低密度部とし、かつ同じく下部における腰部付近を支える部分の上下方向の少なくとも一部を、前記張り材の上部よりもメッシュの目の細かい高密度部とする。
【０００７】
（２）上記(１)項において、上部フレームにおける左右の側杆を、上下方向のやや下方部が前方に突出するように、側面視く字状に折曲し、この折曲部より上方を低密度部とするとともに、折曲部の下方の上下方向の少なくとも一部を、高密度部とする。
【０００８】
（３）上記(１)または(２)項において、張り材の下部を、高密度部と低密度部とが、上下方向に交互に配設されたものとする。
【０００９】
（４）上記(３)項において、張り材下部の高密度部と低密度部を、左右方向に向かって帯状とする。
【００１０】
（５）上記(１)〜(４)項のいずれかにおいて、張り材を１枚のメッシュ状とし、その外周縁に設けた下向Ｕ字状の袋状部を上部フレームに挿入して張設する。
【発明の効果】
【００１１】
請求項１記載の発明によれば、張り材の上部における座者の背中を支える部分を、メッシュの密度の粗い低密度部とし、かつ同じく下部における腰部付近を支える部分の上下方向の少なくとも一部を、上部の密度よりも細かい高密度部とてあるので、張り材の上部と下部とが、互いに異なる適当な撓み量をもって撓むようになる。すなわち、張り材の上部の撓み量が、下部のそれよりも大となり、下部に比して、小さな荷重で後方に大きく撓むようになる。
従って、例えば張り材の下部を、ランバーサポートの機能を有するように、小さな撓み量に設定した際でも、張り材の上部の撓み量を大としうるので、快適な座り心地が得られる。
【００１２】
請求項２記載の発明によれば、座者の腰部付近を支える部分のランバーサポート効果を高めながら、背中を支持する部分の撓み量を大きくしうるので、より快適な座り心地が得られる。
【００１３】
請求項３記載の発明によれば、張り材下部の撓み量を適度に調整することができる。
【００１４】
請求項４記載の発明によれば、腰部付近を、帯状とした高密度部と低密度部により快適に支持されるとともに、帯状の高密度部と低密度部とが、上下方向に交互に並んでいるので、デザイン的に優れた背凭れを提供しうる。
【００１５】
請求項５記載の発明によれば、張り材を１枚のメッシュ状としてあるので、上下の密度の異なる張り材を、機械編みや、機械織り等により容易に製造することができ、かつ材料費も節約されるので、コスト低減が図れる。
【発明を実施するための最良の形態】
【００１６】
以下、本発明の実施形態を、図面に基づいて説明する。
図１は、本発明の背凭れを備える椅子の斜視図、図２は、同じく正面図、図３は、背凭れの分解斜視図である。
【００１７】
椅子の脚体１は、内部に高さ調整用のガススプリング(図示略)が収容された脚柱２と、その上部外周面に固着された、先端にキャスタ３を有する放射方向を向く５本の脚杆４とからなり、脚柱２の上部に取付けられた支基５の上部には、座体６が取付けられている。
座体６は、合成樹脂よりなる座板７と、その上面に取付けられたクッション材８とからなり、座板７の両側縁には、上端が外側方に折曲された肘掛け９、９が一体的に連設されている。
【００１８】
背凭れ１０は、下部フレーム１１と上部フレーム１２とからなる背フレーム１３と、背フレーム１３に張設される張り材１４とを備えている。
下部フレーム１１は、金属パイプを正面視上向きコ字状に折曲することにより、横杆１１aの両側端に、短寸の上向側杆１１b、１１bが連設された形状をなし、両上向側杆１１bには、それよりも小径の連結ロッド１５、１５が、上方に突出するように嵌合され、上向側杆１１bの前面の上下の取付孔１６より挿入した止めねじ(図示略)により固定されている。
【００１９】
横杆１１aと上向側杆１１bとの連設隅部の前面には、座板７における後端部の両側部下面に取付けられる、正面視内向きＬ字状をなす左右１対の取付金具１７、１７の後端が、前方を向くように溶接により固着されている。
【００２０】
上部フレーム１２は、上記下部フレーム１１と同外径の金属パイプを、正面視において、下方がやや外開きとなるように下向Ｕ字状に折曲するとともに、上下方向の中央部よりもやや下方が前方に突出するように、側面視ほぼく字状をなすように折曲して形成され、その左右の下向側杆１２a 、１２a の下端部を、下部フレーム１１の左右の連結ロッド１５、１５に嵌合したのち、下向側杆１２a の下端部内面に設けた取付孔１８より挿入した止めねじ１９を、連結ロッド１５の内面のめねじ孔２０に螺合して固定することにより、正面視方形枠状の背フレーム１３が形成される。
【００２１】
張り材１４は、例えばポリアミド繊維またはポリエステル繊維等、引張強度が高く、かつ適度な伸縮性を有する合成繊維を１枚のメッシュ状に編むか、織るなどして長方形状に形成され、背フレーム１３に張設する前の左右寸法は、背フレーム１３の左右寸法よりも小さく、かつ上下寸法は、背フレーム１３のそれよりも長寸とされている。
【００２２】
張り材１４の下端部の左右寸法は、下端部の両角部を斜めに切除することにより、漸次下方に向かって小となるようにしてある。
また、張り材１４の下縁と、下端部を除いた外周縁とには、それぞれ、左右方向を向く袋状部２１と、上部フレーム１２に挿通される下向Ｕ字状の袋状部２２とが形成されている。
【００２３】
張り材１４における袋状部２２により囲まれた上半部、すなわち座者の背中の上部を支える、下向側杆１２a のく字状折曲部よりも上方に位置する部分は、メッシュの目の粗い低密度部２３とされている。
また、下向側杆１２a の折曲部よりも下方に位置する張り材１４の下部、すなわち座者の背中の下部から腰部付近を支える部分には、上半部のメッシュの目よりも細かい粗さの複数の高密度部２４と、上半部のメッシュの目と同じ粗さの複数の低密度部２３とが、上下方向に交互に、かつ左右方向に向かって帯状に形成されている。
張り材１４の下端部と袋状部２１、２２のメッシュの粗さは、引張強度を確保するために、高密度としてある。
【００２４】
次に、背凭れ１０の組立要領を、図４及び図５を参照して説明する。
下部フレーム１１と上部フレーム１２とを連結する前に、まず張り材１４を、上部フレーム１２に、次のようにして仮装着する。
図３に示すように、張り材１４の外周縁の袋状部２２における左右の下端部の内側前面には、上下方向を向くスリット状の開口２５、２５が形成されており、図４に示すように、左右いずれか一方の下向側杆１２a の端部を、いずれか一方の開口２５より挿入し、張り材１４全体を他方の下向側杆１２a 側にたぐり寄せながら、下向側杆１２a の端部を他方の開口２４より突出させる。この際、張り材１４は、その左右寸法を上部フレーム１２の左右寸法よりも小としてあるので、左右方向に引っ張られ、張力が付与される。
【００２５】
ついで、左右の下向側杆１２a の下端部を、上述した要領で、下部フレーム１２の両連結ロッド１５に嵌合して固定し、下部フレーム１１と上部フレーム１２とを連結する。
【００２６】
ついで、張り材１４の下縁の袋状部２１に、左右方向を向く固定板２６を挿通し、この固定板２６を下方に強く引っ張りながら、張り材１４の下端部の前面を下部フレーム１１の横杆１１aの後面と下面に掛け回し、かつ横杆１１aを支点として固定板２６を張り材１４と共にさらに前方に強く引っ張ったのち、固定板２６の両端部を左右の取付金具１７、１７の上面に載せる。この状態で、図５に示すように、固定板２６の左右の突出端部に設けた通孔２７、２７に挿入した止めねじ２８、２８を、左右の取付金具１７、１７の内向片１７aに設けためねじ孔２９に螺合して締め付ける。
【００２７】
これにより、背凭れ１０の組立ては終了し、張り材１４は、所定の緊張状態をもって、背フレーム１３に張設される。
背凭れ１０の組立後において、座体６の左右の肘掛け９、９と近接する対向面間に、左右の取付金具１７、１７を挿入した状態で、その両内向片１７a、１７aを、それに穿設された前後２個の取付孔３０、３０に挿入したねじ(図示略)により、座板７の後端部の両側部上面に固定し、背凭れ１０を座体６に取付ける。なお、クッション材８は、背凭れ１０を取付けた後、左右の内向片１７aの上面と横杆１１aを覆うようにして、座板７の上面に取り付けられる。
【００２８】
以上説明したように、上記実施形態の背凭れにおいては、上部フレーム１２に、張り材１４の外周縁の袋状部２２を挿入し、かつ張り材１４の下端部を、背フレーム１３における下部フレーム１１の横杆１１aの後面と下面に掛け回すようにして、前方に引っ張りながら、前端部を座板７取付用の取付金具１７に固定しているので、図１及び図５に示すように、張り材１４を前方に引っ張る際に、背フレーム１３の下端部の左右両隅部を、張り材１４の下部により容易に覆うことができる。
【００２９】
また、左右の取付金具１７の外側面は、両肘掛け９により、横杆１１aもクッション材８により、それぞれ覆われ、外部に露呈しないので、見栄えがよい。
さらに、背中を支える張り材１４の上半部を、メッシュの目の細かい低密度部２３とし、腰部付近を支える張り材１４の下部には、張り材１４の上半部のメッシュより細かい目の高密度部２４と、上半部のメッシュの目と同じ粗さの低密度部２３とを、上下方向に交互に形成してあるので、張り材１４の上半部の撓み剛性が、下部のそれよりも大となり、下部に比して、小さな荷重で後方に大きく撓むこととなる。
従って、張り材１４の上半部と下部との撓み量を、互いに適当に異ならせることができ、例えば張り材１４の下部を、ランバーサポートの機能を有するように、小さな撓み量に設定した際でも、張り材１４の上半部の撓み量を大としうるので、快適な座り心地が得られる。
【００３０】
上記実施形態においては、張り材１４の下縁の袋状部２１を、固定板２６により、左右の取付金具１７の上面に固定しているが、袋状部２１を設けたり、固定板２６を用いたりしないで、張り材１４の下端部を、直接座板７の後端部下面に、タッキング等により固定してもよい。
【００３１】
また、上記実施形態では、張り材１４を、その外周縁に形成した下向Ｕ字状の袋状部２２を上部フレーム１２に挿入して張設しているが、張り材１４全体を、下方が開放する袋状とし、背フレーム１３に上方より被せて張設してもよい。このようにすると、張り材１４を、枠状とした背フレーム１３に上方より容易に張設しうるとともに、交換も容易となる。なお、この際にも、張り材１４の下端部を、上記と同様、座板７の後端部下面に、タッキングなどにより固定すればよい。
【００３２】
上記実施形態では、張り材１４の下部の撓み量を調整しうるように、低密度部２３と高密度部２４とを、上下方向に交互に形成しているが、下部全体を高密度部２４としてもよい。
【図面の簡単な説明】
【００３３】
【図１】本発明の椅子の背凭れの一実施形態の斜視図である。
【図２】同じく、正面図である。
【図３】同じく、背凭れの分解斜視図である。
【図４】同じく、背凭れの組立要領を示し、張り材を背フレームに仮装着した状態の斜視図である。
【図５】同じく、背凭れの組立終了後の斜視図である。
【符号の説明】
【００３４】
１    脚体
２    脚柱
３    キャスタ
４    脚杆
５    支基
６    座体
７    座板
８    クッション材
９    肘掛け
１０  背凭れ
１１  下部フレーム
１１a 横杆
１１b 上向側杆
１２  上部フレーム
１２a 下向側杆
１３  背フレーム
１４  張り材
１５  連結ロッド
１６  取付孔
１７  取付金具
１７a 内向片
１８  取付孔
１９  止めねじ
２０  めねじ孔
２１  袋状部
２２  袋状部
２３  低密度部
２４  高密度部
２５  開口
２６  固定板
２７  通孔
２８  止めねじ
２９  めねじ孔
３０  取付孔
【図１】
2009112360.tif 000003
【図２】
2009112360.tif 000004
【図３】
2009112360.tif 000005
【図４】
2009112360.tif 000006
【図５】
2009112360.tif 000007